(57)【要約】【課題】起動指示を受けてから映像データを送信または受信するまでの時間を短縮するとともに、待機電力の抑制を図ることができる電子機器及び電子機器システムを提供する。【解決手段】電子機器は、リモートコントローラ１００から通信部起動信号を受信した場合、通信部へ電力を供給するとともに、暗号情報の認証処理を含む通信部の接続確立処理を開始する。そして、リモートコントローラ１００から起動信号を受信した場合、映像処理部へ電力を供給するとともに映像データを送信または受信する。【選択図】  図３
2011101320.tif 000002
【特許請求の範囲】
【請求項１】
暗号化された映像データを送信または受信する通信手段と、
前記映像データを処理する映像処理手段と、
リモートコントローラから第１の信号及び第２の信号を受信する受信手段と、
前記受信手段が前記リモートコントローラから第１の信号を受信した場合に前記通信手
段に対して電力を供給する第１の電力供給手段と、
前記受信手段が前記リモートコントローラから第２の信号を受信した場合に前記映像処
理手段および前記通信手段に対して電力を供給する第２の電力供給手段と、
前記第１の電力供給手段から前記通信手段への電力供給が開始した後、外部機器に対し
て、前記映像データの暗号情報の認証処理を含む前記通信手段の接続確立処理を行う通信
制御手段と
を備え、
前記通信手段は、前記第１の電力供給手段が前記通信手段に対して電力を供給して前記
通信制御手段が前記通信手段の接続を確立した後、前記第２の電力供給手段が前記映像処
理手段に対して電力を供給している場合に、前記映像データを送信または受信する
ことを特徴とする電子機器。
【請求項２】
前記通信制御手段は、前記第１の電力供給手段から前記通信手段に対する電力供給が開
始した後、前記外部機器に対して、前記映像データの映像形式情報の確認処理を含む前記
接続確立処理を行う
ことを特徴とする請求項１記載の電子機器。
【請求項３】
前記受信手段が前記リモートコントローラから第３の信号を受信した場合、前記映像処
理手段および前記通信手段に対する電力供給を停止する電力停止手段
をさらに備えることを特徴とする請求項１記載の電子機器。
【請求項４】
前記通信手段は、前記受信手段が前記第２の信号を受信した場合に前記外部機器に対し
て第１のコマンドを送信し、前記受信手段が前記第３の信号を受信した場合に前記外部機
器に対して第２のコマンドを送信する
ことを特徴とする請求項３記載の電子機器。
【請求項５】
前記通信手段は、前記外部機器からの制御コマンドを受信し、
前記第２の電力供給手段は、前記通信手段が前記外部機器から前記第１のコマンドを受
信した場合、前記映像処理手段に対する電力供給を開始し、
前記電力停止手段は、前記通信手段が前記外部機器から前記第２のコマンドを受信した
場合、前記映像処理手段及び前記通信手段に対する電力供給を停止する
ことを特徴とする請求項４記載の電子機器。
【請求項６】
信号を送信するリモートコントローラと、
暗号化された映像データを送信または受信する電子機器と
を備えたシステムであって、
前記リモートコントローラは、
前記リモートコントローラの振動を検出する振動検出手段と、
前記振動検出手段が振動を検出した場合、前記電子機器及び外部機器に対して第１の信
号を送信する第１の送信手段と、
ユーザの操作入力を受け付ける操作入力手段と、
前記操作入力手段が前記電子機器に対する起動操作入力を受け付けた場合、前記電子機
器に対して第２の信号を送信する第２の送信手段と
を備え、
前記電子機器は、
暗号化された映像データを送信または受信する通信手段と、
前記映像データを処理する映像処理手段と、
前記リモートコントローラから送信される信号を受信する受信手段と、
前記受信手段が前記第１の信号を受信した場合に前記通信手段に対して電力を供給する
第１の電力供給手段と、
前記受信手段が前記第２の信号を受信した場合に前記映像処理手段および前記通信手段
に対して電力を供給する第２の電力供給手段と、
前記第１の電力供給手段から前記通信手段への電力供給が開始した後、前記外部機器に
対して、前記映像データの暗号情報の認証処理を含む前記通信手段の接続確立処理を行う
通信制御手段と
を備え、
前記通信手段は、前記第１の電力供給手段が前記通信手段に対する電力供給を開始して
前記通信制御手段が前記通信手段の接続を確立した後、前記第２の電力供給手段が前記映
像処理手段に対して電力を供給している場合に、前記映像データを送信または受信する
ことを特徴とする電子機器システム。
【請求項７】
前記リモートコントローラは、当該リモートコントローラに供給する電力を蓄電する蓄
電手段を更に備え、
前記振動検出手段は、前記リモートコントローラが振動した場合に、該振動を検出する
とともに該振動による発電を行い、該発電により発生した電力を前記蓄電手段に蓄電する
ことを特徴とする請求項６記載の電子機器システム。
【発明の詳細な説明】
【技術分野】
【０００１】
本発明は、デジタルインターフェースを介して映像データを送信または受信する電子機
器及び電子機器システムに関する。
【背景技術】
【０００２】
ディスプレイ等の映像表示装置と、テレビチューナ等の映像供給装置とをＷｉｒｅｌｅ
ｓｓＨＤの無線通信やＨＤＭＩケーブル等の通信インターフェースを介して接続し、暗号
化した映像データを送受信する技術がある。これらの装置はリモートコントローラ（リモ
コン）から起動／終了信号を受信して起動／終了処理を行い、終了処理後の待機状態にお
いては待機電力を削減するために、リモコンからの信号を受信するセンサ等の一部の部品
以外に対する電力供給を停止する。しかしこの場合、動作可能となるまでに長い時間を必
要とする構成が装置に含まれると、リモコン信号受信後、該装置の起動完了までに長い時
間を要する恐れがある。
【０００３】
これに対し、起動に時間がかかる構成部品を予め起動して待機し、装置の起動後の待ち
時間を短縮する技術がある（例えば、特許文献１)。特許文献１には、人感センサとサブ
ＣＰＵにより人間の近接を検出し、メインスイッチやリモコンからの装置の起動に先立っ
て、ＯＳを搭載したＣＰＵやディジタルＬＳＩ等の画像処理部を予め起動する放送受信装
置が開示されている。
【先行技術文献】
【特許文献】
【０００４】
【特許文献１】特開２００８−５４０８５
【発明の概要】
【発明が解決しようとする課題】
【０００５】
ここで、映像供給装置が送信した暗号化映像データを映像表示装置が受信して表示する
ためには、これらの装置の構成部品を起動するだけでなく、ＷｉｒｅｌｅｓｓＨＤ無線通
信やＨＤＭＩケーブル等の通信インターフェースの接続確立処理として、映像データの暗
号化情報の認証処理や映像データフォーマットの確認処理等を行う必要がある。これらの
接続確立処理には長い時間を要する場合があるが、特許文献１記載の技術は、接続確立処
理に関して考慮されていないため、装置を起動して映像データを送受信するまでに時間を
要する。通信インターフェースを常時起動させ、装置起動時に迅速に映像データを送受信
できるようすることも考えられるが、この場合には装置の待機電力が大きくなるという問
題がある。
【０００６】
そこで本発明は、起動指示を受けてから映像データを送信または受信するまでの時間を
短縮するとともに、待機電力の抑制を図ることができる電子機器及び電子機器システムの
提供を目的とする。
【課題を解決するための手段】
【０００７】
上記の課題を解決するために、本発明の電子機器は暗号化された映像データを送信また
は受信する通信手段と、前記映像データを処理する映像処理手段と、リモートコントロー
ラから第１の信号及び第２の信号を受信する受信手段と、前記受信手段が前記リモートコ
ントローラから第１の信号を受信した場合に前記通信手段に対して電力を供給する第１の
電力供給手段と、前記受信手段が前記リモートコントローラから第２の信号を受信した場
合に前記映像処理手段および前記通信手段に対して電力を供給する第２の電力供給手段と
、前記第１の電力供給手段から前記通信手段への電力供給が開始した後、外部機器に対し
て、前記映像データの暗号情報の認証処理を含む前記通信手段の接続確立処理を行う通信
制御手段とを備え、前記通信手段は、前記第１の電力供給手段が前記通信手段に対して電
力を供給して前記通信制御手段が前記通信手段の接続を確立した後、前記第２の電力供給
手段が前記映像処理手段に対して電力を供給している場合に、前記映像データを送信また
は受信することを特徴とする。
【０００８】
また、本発明の電子機器システムは、信号を送信するリモートコントローラと、暗号化
された映像データを送信または受信する電子機器とを備えたシステムであって、前記リモ
ートコントローラは、前記リモートコントローラの振動を検出する振動検出手段と、前記
振動検出手段が振動を検出した場合、前記電子機器及び外部機器に対して第１の信号を送
信する第１の送信手段と、ユーザの操作入力を受け付ける操作入力手段と、前記操作入力
手段が前記電子機器に対する起動操作入力を受け付けた場合、前記電子機器に対して第２
の信号を送信する第２の送信手段とを備え、前記電子機器は、暗号化された映像データを
送信または受信する通信手段と、前記映像データを処理する映像処理手段と、前記リモー
トコントローラから送信される信号を受信する受信手段と、前記受信手段が前記第１の信
号を受信した場合に前記通信手段に対して電力を供給する第１の電力供給手段と、前記受
信手段が前記第２の信号を受信した場合に前記映像処理手段および前記通信手段に対して
電力を供給する第２の電力供給手段と、前記第１の電力供給手段から前記通信手段への電
力供給が開始した後、前記外部機器に対して、前記映像データの暗号情報の認証処理を含
む前記通信手段の接続確立処理を行う通信制御手段とを備え、前記通信手段は、前記第１
の電力供給手段が前記通信手段に対する電力供給を開始して前記通信制御手段が前記通信
手段の接続を確立した後、前記第２の電力供給手段が前記映像処理手段に対して電力を供
給している場合に、前記映像データを送信または受信することを特徴とする。
【発明の効果】
【０００９】
本発明によれば、起動指示を受けてから映像データを送信または受信するまでの時間を
短縮するとともに、待機電力の抑制を図ることができる電子機器及び電子機器システムを
提供することができる。
【図面の簡単な説明】
【００１０】
【図１】本発明に係る電子機器システムの動作及び構成を示す概略図。
【図２】本発明に係る電子機器システムの構成を示す図。
【図３】本発明に係る電子機器システムの動作順序を示すシーケンス図。
【図４】本発明に係るリモートコントローラの動作順序を示すフロー図。
【図５】本発明に係る電子機器の起動処理に関する動作手順を示すフロー図。
【図６】本発明に係る電子機器の終了処理に関する動作手順を示すフロー図。
【発明を実施するための形態】
【００１１】
以下、図面を参照して本発明の実施例について説明を行う。
まず、図１を参照して、本実施形態に係る電子機器の構成を説明する。図１は、本発明
の第１の実施形態に係る電子機器システムを示す概略図である。
本システムは、例えばリモートコントローラ１００、チューナ装置２００、表示装置３
００等を備えている。そしてリモートコントローラ１００は操作入力部１０３等を備え、
チューナ装置２００や表示装置３００に対して信号を送信する。チューナ装置２００はリ
モコン信号受信処理部２１０、通信部２３０及び映像処理部２４０等を備え、テレビ放送
波を受信したのち該テレビ放送波に基づく映像データを表示装置３００に送信する。表示
装置３００はリモコン信号受信処理部３１０、通信部３３０及び映像処理部３４０等を備
え、チューナ装置２００から送信された映像データに基づく映像を表示する。
【００１２】
ここでチューナ装置２００と表示装置３００とは、例えばＷｉｒｅｌｅｓｓＨＤ規格の
無線通信あるいはＨＤＭＩケーブル（非図示）といったＨＤＭＩ規格の通信インターフェ
ースによって接続されている。そしてチューナ装置２００は、該通信インターフェースの
接続を確立したのち、ＨＤＭＩ規格に準拠した映像データを表示装置３００に送信し、表
示装置３００は受信した該映像データに基づく映像を表示する。当該接続確立処理に関し
ては図３を参照して後述する。
【００１３】
さらにチューナ装置２００と表示装置３００は、互いの装置に対してＨＤＭＩ−ＣＥＣ
規格に準拠した制御コマンドを送受信する。ＨＤＭＩ−ＣＥＣ規格とは、ＨＤＭＩ規格の
通信インターフェースを介して制御コマンドを送受信し、装置間の連携動作を実現するた
めの規格である。これにより、例えば一方の装置から送信された制御コマンドによっても
う一方の装置を起動あるいは終了する等の動作が可能である。
【００１４】
図１（A）および図１（B）を参照して、本電子機器システムの動作を説明する。なお本
電子機器システムにおけるチューナ装置２００及び表示装置３００は、これら装置が終了
処理を行った後の待機状態において、リモコン信号受信処理部２１０及び３１０以外の構
成に対して電力を供給しないものである。これら装置の終了処理については、図６を参照
して後述する。
【００１５】
ここで図１（A）に示すように、リモートコントローラ１００は、該リモートコントロ
ーラが振動した場合、通信部起動信号をチューナ装置２００及び表示装置３００に送信す
る。そしてチューナ装置２００及び表示装置３００は、該通信部起動信号を受信すると、
通信部２３０および３３０に対して電力供給を開始するとともに、通信部２３０と通信部
３３０との間の接続を確立させる。
【００１６】
続いて操作入力部１０３がチューナ装置２００を起動する旨の操作入力を受け付けた場
合、図１（B）に示すようにリモートコントローラ１００はチューナ装置２００に対して
装置起動信号を送信する。チューナ装置２００は当該装置起動信号を受信すると、映像処
理部２４０を含むチューナ装置２００全体に電力を供給する。またチューナ装置２００は
、装置起動信号を受信するとＨＤＭＩ−ＣＥＣ規格に準じた起動コマンドを表示装置３０
０に送信する。表示装置３００は、チューナ装置２００から当該起動コマンドを受信する
と、映像処理部３４０を含む表示装置全体に電力を供給する。
【００１７】
そしてチューナ装置２００は、映像処理部２４０を含むチューナ装置２００全体が起動
すると、テレビ放送波を受信して該放送波に基づく映像データを通信部２３０から表示装
置３００に対して送信する。そして表示装置３００は受信した映像データに基づく映像を
表示する。
【００１８】
つまり本電子機器システムは、当該電子機器に係るチューナ装置２００及び表示装置３
００が使用されていない待機状態において、これら装置のリモコン信号受信に係る構成以
外に対して電力を供給しないことにより待機電力を抑制するとともに、チューナ装置２０
０を起動するためにユーザがリモートコントローラ１００を持った際の振動を検出してチ
ューナ装置２００と表示装置３００との通信インターフェースの接続を確立させることで
、チューナ装置２００及び表示装置３００の起動後に迅速に映像データを送受信すること
ができる。
【００１９】
次に図２を参照して、本発明の第１の実施形態に係る電子機器システムを説明する。
リモートコントローラ１００は、振動検出部１０１、蓄電部１０２、操作入力部１０３
、送信制御部１０４、通信部起動信号送信部１０５、信号送信部１０６等を備えている。
【００２０】
振動検出部１０１は、リモートコントローラ装置１００の振動を検出する。そして振動
検出部１０１は、振動を検出すると信号制御部１０４に対して振動検出通知を出力する。
また振動検出部１０１は、リモートコントローラ１００の振動エネルギーを元に発電する
機能を有しており、発電した電力を蓄電部１０２に送電する。なお、ここで振動検出部１
０１として圧電素子やエレクトリック等の振動発電MEMSを用いることが考えられるが、発
電する機能を有さない加速度センサ等の振動検出MEMSを用いることも可能である。
【００２１】
蓄電部１０２は、リモートコントローラ１００の各構成に供給する電力を蓄電する一時
電池である。また蓄電部１０２は、振動検出部１０１が発電した電力の蓄電も行う。
【００２２】
操作入力部１０３は、チューナ装置２００に対するユーザ操作入力を受け付ける。操作
入力部１０３が受け付けるユーザ操作入力としては、映像処理部２４０を含むチューナ装
置２００全体に対する起動指示入力や終了指示入力等が挙げられる。そして操作入力部１
０３は、起動指示入力や終了指示入力を受け付けると、起動指示入力通知や終了指示入力
通知を送信制御部１０４に出力する。なお操作入力部１０３は、表示装置３００に対する
ユーザ操作入力を受け付けるものであっても良い。
【００２３】
送信制御部１０４は、振動検出部１０１や操作入力部１０３から入力された通知に基づ
いて、通信部起動信号送信部１０５及び信号送信部１０６に対して信号を送信する旨の指
示を行う。ここで送信制御部１０４は、振動検出部１０１から振動検出信号が入力された
場合、通信部起動信号送信部１０５に対して通信部起動信号を送信する旨の指示を行う。
また送信制御部１０４は、操作入力部１０３から起動指示入力通知あるいは終了指示入力
通知が入力されると、信号送信部１０６に対して起動信号あるいは終了信号を送信する旨
の指示を行う。
【００２４】
通信部起動信号送信部１０５は、送信制御部１０４から通信部起動信号を送信する旨の
指示が入力されると、通信部起動信号受信部２１１及び３１１に対して通信部起動信号を
送信する。このとき通信部起動信号送信部１０５は、例えば無指向性の電波等に信号を重
畳させることで、複数の機器に対して同時に信号を送信することができる。尚、ここで通
信部起動信号送信部１０５が送通信部起動信号を重畳させる電波は、必ずしも無指向性で
なくとも良いが、信号送信部１０６が送信する電波や赤外線よりも指向性が低い方が好ま
しい。
【００２５】
信号送信部１０６は、送信制御部１０４から起動信号や終了信号を送信する旨の指示が
入力されると、当該指示に基づいて起動信号あるいは終了信号を信号受信部２１２に送信
する。なお信号送信部１０６は、表示装置３００に対して起動信号あるいは終了信号を送
るものであっても良い。
【００２６】
続いてチューナ装置２００について説明する。チューナ装置２００は、リモコン信号受
信処理部２１０、電源制御部２２０、通信部２３０、映像処理部２４０等を備えている。
【００２７】
リモコン信号受信処理部２１０は、通信部起動信号受信部２１１、信号受信部２１２、
リモコン信号処理部２１３等を備えている。
通信部起動信号受信部２１１は、リモートコントローラ２００から送信された通信部起
動信号を受信する。そして通信部起動信号受信部２１１は、通信部起動信号を受信すると
リモコン信号処理部に対して通信部起動信号を受信した旨の通知を出力する。
【００２８】
信号受信部２１２は、リモートコントローラ１００から起動信号や終了信号等を受信す
る。そしてこれらの信号を受信すると、起動信号や終了信号を受信した旨の通知をリモコ
ン信号処理部２１３に出力する。
【００２９】
リモコン信号処理部２１３は、通信部起動信号受信部２１１から通信部起動信号を受信
した旨の通知を受けると、電源制御部２２０に対して通信部起動信号通知を出力する。ま
た、信号受信部２１２から起動信号や終了信号を受信した旨の通知を受けた場合には、電
源制御部２２０およびＨＤＭＩ通信制御部２３１に起動信号受信通知や終了信号受信通知
を出力する。
【００３０】
電源制御部２２０は、チューナ装置２００の各機能部に駆動電力を供給する。電源制御
部２２０は、通信部起動信号受信通知を受け取った場合に通信部２３０に対して電力を供
給し、起動信号受信通知を受け取った場合に通信部２３０及び映像処理部２４０を含むチ
ューナ装置全体に対して電力を供給する。そして終了信号受信通知を受信した場合、電源
制御部２２０は映像処理部２４０および通信部２３０に対する電力供給を停止する。
【００３１】
また電源制御部２２０は、ＨＤＭＩ通信制御部２３１から起動コマンド受信通知を受け
取った場合、映像処理部２４０を含むチューナ装置全体に電力を供給する。また電源制御
部２２０は、ＨＤＭＩ通信制御部２３１から終了コマンド受信通知を受け取った場合、通
信部２３０及び映像処理部２４０への電力供給を停止する。
【００３２】
なお電源制御部２２０は、終了信号受信通知や終了コマンド受信通知を受け取った場合
であっても、リモコン信号受信処理部２１０に対しては駆動電力を供給する（非図示）。
これは、リモコン信号受信処理部２１０は、チューナ装置２００の終了後であってもリモ
ートコントローラ１００からの信号を受信する必要があるためである。
【００３３】
通信部２３０は、ＨＤＭＩ通信制御部２３１、メモリ部２３２、ＨＤＭＩポート部２３
３、ＷＶＡＮ通信部２３４等を備えており、表示装置３００に対するＨＤＭＩ接続を確立
したのち、ＨＤＭＩ規格に準拠した映像データの送信やＨＤＭＩ−ＣＥＣ規格に準拠した
制御コマンドの送受信を行う。
【００３４】
ＨＤＭＩ通信制御部２３１は、ＨＤＭＩ通信接続の確立や、映像データ及びＨＤＭＩ−
ＣＥＣに準拠した制御コマンド等の処理機能を有する。そしてＨＤＭＩ通信制御部２３１
は、電源制御部２２０から電力が供給されると、ＨＤＭＩ接続確立処理を行う。ＨＤＭＩ
接続確立処理の際には、ＨＤＭＩポート部２３３を介して、表示装置３００のメモリ部３
３２に格納されたＨＤＣＰ（Ｈｉｇｈ−Ｂａｎｄｗｉｄｔｈ  Ｄｉｇｉｔａｌ  Ｃｏｎｔ
ｅｎｔｓ  Ｐｒｏｔｅｃｔｉｏｎ）鍵情報及び映像形式情報等を取得する。ここでＨＤＣ
Ｐ鍵情報とは、チューナ装置２００が表示装置３００に映像データ送信する際に、該映像
データにかける暗号の鍵情報である。また映像形式情報とは、表示装置３００が表示可能
である映像形式の情報である。
【００３５】
ＨＤＭＩ通信制御部２３１は、ＨＤＭＩ接続が確立した後、デスクランブラ部２４２か
ら映像データが入力されると、メモリ部２３２に格納された暗号鍵と表示装置３００から
取得した暗号鍵とに基づいて映像データを暗号化して、ＨＤＭＩポート部２３３を介して
表示装置３００に該映像データを送信する。またこのときＨＤＭＩ通信制御部２３１は、
表示装置３００のメモリ部３３２から読み込んだ映像形式情報に対応する形式で映像デー
タを送信する。
【００３６】
さらにＨＤＭＩ通信制御部２３１は、リモコン信号処理部から起動信号受信通知を受け
付けると、ＨＤＭＩポート部２３３を介して表示装置３００にＨＤＭＩ−ＣＥＣに準拠し
た起動コマンドを送信する。またＨＤＭＩ通信制御部２３１は、表示装置３００から送信
された起動コマンドを受信した場合、電源制御部２２０に対して起動コマンド受信通知を
出力する。
【００３７】
メモリ部２３２は、ＨＤＣＰ鍵情報を格納する。なお、表示装置３００の説明において
後述するように、表示装置３００のメモリ部３３２は、ＨＤＣＰ鍵情報だけでなく映像形
式情報を格納する。
【００３８】
ＨＤＭＩポート部２３３は、ＷＶＡＮ通信部２３４やＨＤＭＩケーブル（非図示）を介
して表示装置３００に映像データを送信しＨＤＭＩ−ＣＥＣ制御コマンドを送受信するＨ
ＤＭＩ端子である。ここでＨＤＭＩポート部２３３は、ＨＤＭＩ通信制御部２３１から入
力された映像データを、ＷＶＡＮ通信部２３４あるいはＨＤＭＩケーブル（非図示）に送
信する。またＨＤＭＩポート部２３３は、ＨＤＭＩ接続確立処理において、ＨＤＣＰ鍵情
報や映像形式情報をやり取りする。
【００３９】
ＷＶＡＮ通信部２３４は、ＷｉｒｅｌｅｓｓＨＤ規格に準拠した無線通信接続を確立し
たのち、該無線通信によって映像データやＨＤＭＩ−ＣＥＣ動作コマンドの送受信を行う
。
【００４０】
ＷＶＡＮ通信部２３４は、電源制御部２２０から電源が供給されると、表示装置３００
のＷＶＡＮ通信部３３４との無線通信接続を確立させる。該無線通信接続の確立処理にお
いて、ＷＶＡＮ通信部２３４及び３３４は、例えば各々の通信部の識別子をやり取りして
当該識別子を相互認証することで、無線通信接続を確立させる。
【００４１】
そして無線通信接続が確立すると、ＷＶＡＮ通信部２３４は、ＨＤＭＩポート部２３３
から入力された映像データやＨＤＭＩ−ＣＥＣ制御コマンド等を表示装置３００に送信し
、表示装置３００から受信したＨＤＭＩ−ＣＥＣ制御コマンドをＨＤＭＩポート部２３３
に出力する。
【００４２】
なおＷＶＡＮ通信部２３４は、ＨＤＭＩポート部２３３を経由せずＨＤＭＩ通信制御部
２３１に直接接続されるものであってもよく、また、チューナ装置２００のＨＤＭＩポー
ト部２３３に対してＨＤＭＩケーブルを介して接続される外部装置であってもよい。
【００４３】
映像処理部２４０は、チューナ部２４１及びデスクランブラ部２４２等の、映像データ
を処理する機能部を備えている。チューナ部２４１は、テレビ放送波を受信し、受信した
テレビ放送波を復調する。そして復調したテレビ放送波の映像データをデスクランブラ部
２４２に出力する。そしてデスクランブラ部２４２は、チューナ部２４１から入力された
映像データのスクランブル処理を解除し、ＨＤＭＩ通信制御部２３１に出力する。
【００４４】
続いて表示装置３００を説明する。表示装置３００は、リモコン信号受信処理部３１０
、電源制御部３２０、通信部３３０、映像処理部３４０等を備えている。これらの構成の
うち、通信部３３０および映像処理部３４０を除く構成の機能はチューナ装置２００にお
ける機能と同様である。即ち、リモコン信号受信処理部３１０はリモコン信号受信処理部
２１０と、電源制御部３２０は電源制御部２２０と同様の機能を備える。また、通信部３
３０は一部機能を除いて通信部２２０と同様の機能を備える。ここでは、チューナ装置２
００と異なる構成や機能を中心に説明する。
【００４５】
通信部３３０と通信部２３０との相違点は、メモリ部３３２にＨＤＣＰ鍵情報だけでな
く映像形式情報が格納されている点、ＨＤＭＩポート部３３３及びＷＶＡＮ通信部３３４
が映像データを送信するのではなく受信する点、及びＨＤＭＩ通信制御部３３１がＨＤＭ
Ｉ通信制御部２３１と異なる動作をする点等である。
【００４６】
ＨＤＭＩ通信制御部３３１の動作について説明する。ＨＤＭＩ通信制御部３３１は、Ｈ
ＤＭＩ接続確立処理において、チューナ装置２００のメモリ部２３２に格納されたＨＤＣ
Ｐ鍵情報等を取得する。そしてＨＤＭＩ通信制御部３３１は、ＨＤＭＩ接続確立処理のの
ち映像データを受信すると、メモリ部３３２に格納された暗号鍵とチューナ装置２００か
ら取得した暗号鍵とに基づいて映像データの暗号化を解除する。そしてＨＤＭＩ通信制御
部３３１は、暗号化を解除した映像データを表示処理部３４１に出力する。
【００４７】
続いて映像処理部３４０を説明する。映像処理部３４０は、表示処理部３４１及び表示
部３４２等を備えている。表示処理部３４１は、ＨＤＭＩ通信制御部３３１から入力され
た映像データを処理し、表示部３４２で表示可能な形式にして表示部３４２に出力する。
そして表示部３４２は、表示処理部から入力された映像データに基づいた映像を表示する
。
【００４８】
次に図３を参照して、リモートコントローラ１００、チューナ装置２００、表示装置３
００の動作処理順序を説明する。
まずリモートコントローラ１００は、振動を検出すると（Ｓ４０１）、チューナ装置２
００及び表示装置３００に対して通信部起動信号を送信する（Ｓ４０２）。そしてチュー
ナ装置２００及び表示装置３００は、該通信部起動信号を受信すると、各々の通信部２３
０および３３０に電力を供給する（Ｓ４０３、Ｓ４０４）。そして通信部２３０及び３３
０に電力が供給されると、ＷＶＡＮ通信部２３４および３３４は無線通信確立処理を開始
する（Ｓ４０５）。なお、ＨＤＭＩポート２３３と３３３との間がＨＤＭＩケーブルにて
接続されている場合、当該無線通信確立処理は省略することができる。
【００４９】
そしてＷＶＡＮ通信部２３４と３３４との間の無線通信が確立すると、続いてＨＤＭＩ
通信制御部２３１及び３３１は、ＨＤＭＩ接続確立処理を開始する。この接続確立処理で
は、ＨＤＣＰ認証処理や映像形式情報確認処理等が行われる。ＨＤＣＰ認証処理では、チ
ューナ装置２００と表示装置３００との間で暗号化されて送られる映像データのＨＤＣＰ
鍵情報をやりとりする（Ｓ４０６）。ここで、当該ＨＤＣＰ鍵情報はメモリ２３２及び３
３２に格納されている。
【００５０】
映像形式情報確認処理では、ＨＤＭＩ通信制御部２３１は表示装置３００のメモリ３３
２に格納されている映像形式情報等を読み込む（Ｓ４０７）。尚、ＨＤＣＰ認証処理（Ｓ
４０６）及び映像形式情報確認処理（Ｓ４０７）は、どちらの処理が先であっても良い。
【００５１】
ＨＤＣＰ認証処理及び映像形式情報確認処理等が完了すると、ＨＤＭＩ接続は確立し、
チューナ装置２００及び表示装置３００は映像データの送受信が可能な状態となる。
【００５２】
そしてリモートコントローラ１００は、チューナ装置２００に対する起動指示入力を受
け付けると（Ｓ４０８）、起動信号をチューナ装置２００に送信する（Ｓ４０９）。チュ
ーナ装置２００は、当該起動信号を受信すると、映像処理部２４０を含むチューナ装置２
００全体に電力を供給するとともに（Ｓ４１０）、表示装置３００に対してＨＤＭＩ−Ｃ
ＥＣ規格に準拠した起動コマンドを送信する（Ｓ４１１）。そして表示装置３００は、該
起動コマンドを受信すると、映像処理部３４０を含む表示装置３００全体に電力を供給す
る（Ｓ４１２）。なお、ここではチューナ装置２００が起動信号を受信して表示装置３０
０にＨＤＭＩ−ＣＥＣの起動コマンドを送信するとして説明したが、表示装置３００が起
動信号を受信してチューナ装置２００に起動コマンドを送信しても良い。
【００５３】
チューナ装置２００は、映像処理部２４０が起動すると表示装置３００に映像データを
送信する（Ｓ４１３）。そして表示装置３００は、チューナ装置２００から受信した映像
データに基づく映像を表示する。尚、Ｓ４１３における映像データの送信は、Ｓ４１０に
おいて映像処理部２４０を含むチューナ装置２００全体に電力が供給された後であれば良
く、Ｓ４１１における起動コマンド送信の前であっても構わない。
【００５４】
次に図４を参照して、リモートコントローラ１００の動作処理を説明する。図４は、チ
ューナ装置２００および表示装置３００を備える本電子機器システムの起動に係る、リモ
ートコントローラ１００の動作処理を示すフローチャートである。
【００５５】
この処理では、まずリモートコントローラ１００が振動した場合（Ｓ５０１のＹｅｓ）
、振動検出部１０１は送信制御部１０４に対して振動検出通知を出力する（Ｓ５０２）。
このとき振動検出部１０１は、振動を検出するとともに該振動による発電を行い、蓄電部
１０２は振動検出部１０１にて発電された電力を蓄電する。このようにリモートコントロ
ーラ１００は、当該リモートコントローラの振動による発電を行うことにより一時電池の
電力消費を減らすことができる。
【００５６】
送信制御部１０４は、該振動検出通知が入力されると通信部起動信号送信部１０５に対
して通信部起動信号を送信する指示を行い、通信部起動信号送信部１０５は、通信部起動
信号をチューナ装置２００及び表示装置３００に対して送信する（Ｓ５０３）。
【００５７】
通信部起動信号を送信した後、チューナ装置２００に対する起動指示入力を操作入力部
１０３が受け付け、送信制御部１０４が起動指示入力通知を受け取ると（Ｓ５０４のＹｅ
ｓ）、信号送信部１０６はチューナ装置２００に対して起動信号を送信する（Ｓ５０５）
。
【００５８】
一方、Ｓ５０４において、送信制御部１０４が起動指示入力通知を受けなかった場合（
Ｓ５０４のＮｏ）、信号処理部１０４は、振動検出通知を受けてから所定時間が経過した
か否かを判別する（Ｓ５０６）。そして所定時間が経過していない場合（Ｓ５０６のＮｏ
）、送信制御部１０４は再びＳ５０４の処理を行う。一方、信号制御部１０４が振動検出
通知を受けてから所定時間以内に起動指示入力通知を受けなかった場合（Ｓ５０６のＹｅ
ｓ）、本電子機器システムの起動に係るリモートコントローラ１００の動作処理は終了す
る。
【００５９】
上記処理フローのＳ５０１〜Ｓ５０３の処理動作により、リモートコントローラ１００
は、チューナ装置２００や表示装置３００を起動するためにユーザが当該リモートコント
ローラを持った際の振動を検出して、チューナ装置２００や表示装置３００の通信部を起
動させることができる。即ちリモートコントローラ１００は、ユーザからの起動指示入力
に先立ってチューナ装置２００及び表示装置３００の通信部を起動させることができる。
【００６０】
尚、この処理フローでは、Ｓ５０５において信号送信部１０６は起動信号をチューナ装
置２００に対して送信するとして説明したが、表示装置３００に対して起動信号を送るも
のであっても良い。
【００６１】
次に図５を参照して、チューナ装置２００及び表示装置３００の起動処理に係る動作手
順を説明する。尚、ここではチューナ装置２００の構成に基づいた説明を行うが、表示装
置３００は起動処理においてチューナ装置２００と同様の動作を行う。
【００６２】
この処理フローでは、通信部起動信号受信部２１１が通信部起動信号を受信して電源制
御部２２０が通信部起動信号受信通知を受け取った際に（Ｓ６０１）、電源制御部２２０
が通信部２３０に電力を供給している場合（Ｓ６０２のＹｅｓ）、電源制御部２２０はＳ
６０６の判別処理を行う。Ｓ６０６については後述する。ここで、通信部２２０の電力が
供給されている場合とは、例えば電源制御部２２０が通信部起動信号受信通知を受け取っ
て通信部２２０へ電力を供給した後、起動信号の受信前に再度通信部起動信号を受信した
場合等である。
【００６３】
一方、電源制御部２２０から通信部２３０に電力が供給されていない場合（Ｓ６０２の
Ｎｏ）、電源制御部２２０は通信部２３０に電力を供給する（Ｓ６０３）。そしてＷＶＡ
Ｎ通信部２３４はＷＶＡＮ通信部３３４との無線接続確立処理を開始し（Ｓ６０４）、Ｈ
ＤＭＩ通信制御部２３１はＨＤＭＩ接続確立処理を開始する（Ｓ６０５）。そしてＨＤＭ
Ｉ通信制御部２３１およびＷＶＡＮ通信部２３４が通信接続確立処理を行うと、続いて電
源制御部２２０は、通信部起動信号受信通知を受け取ったのち所定時間が経過したか否か
を判別する（Ｓ６０６）。
【００６４】
通信部起動信号受信通知を受け取ったのち所定時間が経過していない場合(Ｓ６０６の
Ｎｏ)、電源制御部２２０はリモコン信号処理部２１３から起動信号受信通知を受け取っ
たか否かを判別する（Ｓ６０７）。リモコン信号処理部２１３から起動信号受信通知を受
け取った場合（Ｓ６０７のＹｅｓ）、電源制御部２２０は映像処理部２４０を含むチュー
ナ装置２００全体に対して電力を供給する（Ｓ６０８）。そしてＨＤＭＩ通信制御部２３
１はＨＤＭＩ−ＣＥＣに準拠した起動コマンドを表示装置３００に送信し（Ｓ６０９）、
チューナ装置２００は表示装置３００に映像データを送信し、表示装置３００はチューナ
装置から映像データを受信する（Ｓ６１０）。
【００６５】
一方、Ｓ６０７においてリモコン信号処理部２１３から映像処理部起動信号が入力され
なかった場合（Ｓ６０７のＮｏ）、続いて電源制御部２２０は、ＨＤＭＩ通信制御部２３
１から起動コマンド受信通知が入力されたか否かを判別する（Ｓ６１１）。ここで、ＨＤ
ＭＩ通信制御部２３１から起動コマンド受信通知が入力されている場合（Ｓ６１１のＹｅ
ｓ）、電源制御部２２０は映像処理部２４０を含むチューナ装置２００全体に対して電力
を供給し（Ｓ６１２）、チューナ装置２００は映像データを送信する（Ｓ６１０）。
【００６６】
しかしＳ６１１においてＨＤＭＩ通信制御部２３１から起動コマンド受信通知が入力さ
れなかった場合（Ｓ６１１のＮｏ）、電源制御部２２０はリモコン信号処理部２１３から
通信部起動信号受信通知が入力されたのち所定時間が経過したか否かを再度判定する（Ｓ
６０６）。電源制御部２２０は、通信部起動信号受信通知が入力されたのち所定時間が経
過したと判別するまでＳ６０６、Ｓ６０７及びＳ６１１の処理を繰り返す。そして、所定
時間が経過した場合（Ｓ６０６のＹｅｓ）、電源制御部２２０は、通信部２２０への電力
供給を停止し（Ｓ６１３）、チューナ装置２００の起動処理に係る処理は完了する。
【００６７】
上記の処理フローに拠れば、チューナ装置２００及び表示装置３００は、リモートコン
トローラ１００からの起動信号を受信する前に通信部起動信号を受信できれば、通信部２
３０および３３０の接続確立処理を開始することができる。そのためチューナ装置２００
及び表示装置３００は、リモートコントローラ１００から起動信号を受信してから映像デ
ータを送受信するまでの時間を短縮することができる。またチューナ装置２００及び表示
装置３００は、通信部への電力供給を開始したのち起動信号や起動コマンドを受信しなか
った場合、当該通信部に対する電力供給を停止することができるため、電力消費を抑制す
ることができる。
【００６８】
続いて図６を参照して、チューナ装置２００及び表示装置３００の終了処理に係る動作
手順を説明する。なおチューナ装置２００及び表示装置３００は終了処理において同様の
動作を行うため、ここではチューナ装置２００の構成に基づいた説明を行う。
【００６９】
この処理では、まず信号受信部２１２がリモートコントローラ１００から終了信号を受
信すると（Ｓ７０１のＹｅｓ）、ＨＤＭＩ通信制御部２３１は表示装置３００に対してＨ
ＤＭＩ−ＣＥＣに準拠した終了コマンドを送信し（Ｓ７０２）、電源制御部２２０は通信
部２３０及び映像処理部２４０に対する電力供給を停止する（Ｓ７０５）。また、リモー
トコントローラ１００から終了信号を受信しない場合であっても（Ｓ７０１のＮｏ）、表
示装置３００から送信されたＨＤＭＩ−ＣＥＣに準拠した終了コマンドをＨＤＭＩ通信制
御部２３１が受信した場合（Ｓ７０３のＹｅｓ）、電源制御部２２０は通信部２３０及び
映像処理部２４０に対する電力供給を停止し（Ｓ７０５）、終了処理に係る動作は完了す
る。なお、電源制御部２２０は、Ｓ７０５にて通信部２３０及び映像処理部２４０に対す
る電力供給を停止した後も、リモコン信号受信処理部２１０に対しては電力を供給する。
【００７０】
上記の処理フローに拠れば、チューナ装置２００及び表示装置３００は、終了信号ある
いはＨＤＭＩ−ＣＥＣの終了コマンドを受信した場合に、リモートコントローラ１００か
らの信号を受信する構成以外に対する電力供給を停止することができるため、消費電力を
抑制することができる。
【００７１】
本実施例に拠れば、チューナ装置２００及び表示装置３００は、リモートコントローラ
からの起動指示を受ける前に予め通信部を起動して装置同士の接続確立処理を開始するこ
とができ、リモートコントローラからの起動指示を受けてから映像データを送信あるいは
受信するまでの時間を短縮することができる。またチューナ装置２００及び表示装置３０
０は、これら装置の終了処理後において、リモートコントローラ１００からの信号受信に
係る構成以外に対する電力供給を停止することにより、これら装置の電力消費を抑制する
ことができる。
【００７２】
なお、本発明は上記実施形態そのままに限定されるものではなく、実施段階ではその要
旨を逸脱しない範囲で構成要素を変形して具現化できる。また、上記実施形態に開示され
ている複数の構成要素の適宜な組み合わせにより、種々の発明を形成できる。例えば、実
施形態に示される全構成要素から幾つかの構成要素を削除してもよい
【符号の説明】
【００７３】
１００…リモートコントローラ、１０１…振動検出部、１０２…蓄電部、１０３…操作
入力部、１０４…送信制御部、１０５…通信部起動信号送信部、１０６…信号送信部、２
００…チューナ装置、２１０…リモコン信号受信処理部、２１１…通信部起動信号受信部
、２１２…信号受信部、２１３…リモコン信号処理部、２２０…電源制御部、２３０…通
信部、２３１…ＨＤＭＩ通信制御部、２３２…メモリ部、２３３…ＨＤＭＩポート部、２
３４…ＷＶＡＮ通信部、２４０…映像処理部、２４１…チューナ部、２４２…デスクラン
ブラ部、３００…表示装置、３１０…リモコン信号受信処理部、３１１…通信部起動信号
受信部、３１２…信号受信部、３１３…リモコン信号処理部、３２０…電源制御部、３３
０…通信部、３３１…ＨＤＭＩ通信制御部、３３２…メモリ部、３３３…ＨＤＭＩポート
部、３３４…ＷＶＡＮ通信部、３４０…映像処理部、３４１…表示処理部、３４２…表示
部
【図１】
2011101320.tif 000003
【図２】
2011101320.tif 000004
【図３】
2011101320.tif 000005
【図４】
2011101320.tif 000006
【図５】
2011101320.tif 000007
【図６】
2011101320.tif 000008